(57)【要約】【課題】  浴室や土間のある玄関やガレージなど土間周りにも設置できて、外気の湿度を適正に調整して壁内に導入することができる壁体内換気装置及びそれに用いる壁パネルを提供すること。【解決手段】  基礎近傍の外気を建物の外壁の壁体内通気路に入れて該外気が上昇するにしたがって換気する壁体内換気装置において、壁体内通気路の外気取り入れ口近くに、外気と接触し、外気の湿度が高いときは湿分を吸い取り、湿度が低いときは湿分を吐き出して外気の相対湿度を標準値より抑える機能を有する吸放湿材１２を配設したこと。【選択図】        図２
2010144335.tif 000002
【特許請求の範囲】
【請求項１】
基礎近傍の外気を建物の外壁の壁体内通気路に入れて該外気が上昇するにしたがって換気する壁体内換気装置において、
前記壁体内通気路の外気取り入れ口近くに、外気と接触し、外気の湿度が高いときは湿分を吸い取り、湿度が低いときは湿分を吐き出して外気の相対湿度を標準値より抑える機能を有する吸放湿材を配設したことを特徴とする壁体内換気装置。
【請求項２】
請求項１に記載の壁体内換気装置において、縦材と横材が組み付けられて形成された方形枠体と、該枠体の一方の面側に取り付けられた面材とを有する壁パネルを具え、この壁パネルの前記面材が室外側となるように配置されるとともに、該面材と室内側に配置される断熱材との間に壁体内通気路を形成する換気スペーサが配設され、この換気スペーサの壁体内通気路以外の部分に吸放湿材が設けられていることを特徴とする壁体内換気装置。
【請求項３】
請求項２に記載の壁体内換気装置において、換気スペーサの表面に壁体内通気路の高さにわたり凹凸部がそれぞれ複数個設けられ、前記凹部が通気路に、前記凸部が非通気路に形成され、この非通気路に形成された凸部内に粒状の吸放湿材が設けられていることを特徴とする壁体内換気装置。
【請求項４】
請求項１に記載の壁体内換気装置において、縦材と横材が組み付けられて形成された方形枠体と、該枠体の一方の面側に取り付けられた面材とを有する壁パネルを具え、この壁パネルの前記面材が室外側となるように配置されるとともに、該面材と室内側に配置される断熱材との間に壁体内通気路を形成する換気スペーサが配設され、この換気スペーサの壁体内通気路と室内側において対面する部分に吸放湿材が設けられていることを特徴とする壁体内換気装置。
【請求項５】
請求項４に記載の壁体内換気装置において、吸放湿材が、換気スペーサと断熱材との間に配置された板状の吸放湿材であることを特徴とする壁体内換気装置。
【請求項６】
請求項２ないし５のいずれかに記載の壁体内換気装置において、吸放湿材が、壁パネルにおける基礎の上に設置された土台近くの下方部分に設けられていることを特徴とする壁体内換気装置。
【請求項７】
請求項２ないし６のいずれかに記載の壁体内換気装置において、基礎近傍の外気を建物の外壁の壁体内通気路にのみ入れて床下に入るのを阻止するパッキンが、基礎と土台間に設けられていることを特徴とする壁体内換気装置。
【請求項８】
請求項２ないし７のいずれかに記載の壁体内換気装置に用いられる壁パネルであって、縦材と横材が組み付けられて形成された方形枠体と、該枠体の一方の面側に取り付けられた面材とを有し、前記面材の室内側を向いた面に壁体内通気路を形成する換気スペーサが配設され、この換気スペーサの表面に該通気路の高さにわたり凹凸部がそれぞれ複数個設けられ、前記凹部が通気路に、前記凸部が非通気路に形成され、前記枠体の高さ方向の少なくとも下方部分における非通気路に形成された凸部内に粒状の吸放湿材が設けられていることを特徴とする壁パネル。
【請求項９】
請求項２ないし７のいずれかに記載の壁体内換気装置に用いられる壁パネルであって、縦材と横材が組み付けられて形成された方形枠体と、該枠体の一方の面側に取り付けられた面材とを有し、前記面材の室内側を向いた面に壁体内通気路を形成する換気スペーサが配設され、この換気スペーサの表面に該通気路の高さにわたり凹凸部がそれぞれ複数個設けられ、前記凹部が通気路に、前記凸部が非通気路に形成され、前記枠体の高さ方向の少なくとも下方部分における換気スペーサの壁体内通気路と室内側において対面する部分に板状の吸放湿材が設けられていることを特徴とする壁パネル。
【発明の詳細な説明】
【技術分野】
【０００１】
この発明は、基礎近傍の外気を建物の外壁の壁体内通気路に入れて該外気が上昇するにしたがって換気する壁体内換気装置及びそれに用いる壁パネルに関するものである。
【背景技術】
【０００２】
木質系の建物において一般的に普及している外壁通気は、外気を直接導入し、外壁下地と外壁材の間を通気させ、これにより外壁材の劣化防止や外壁部の漏水による排水経路の役割を行うものであり、壁内の湿気を排出する機能としては外壁下地材の透湿抵抗が高く十分に機能しない。そこで、外気を壁内に直接導入する工法もある。しかし、湿度の高い空気を壁内に導くこととなり、劣化の原因となる。これらの点を解決するために本出願人は先に「土台下パッキン及び壁体内換気装置」なる発明を提案した（特許文献１）。
【０００３】
特許文献１の技術は、外気を一旦床下に導き、高湿度を除湿し、適正な湿度を壁内に導入するものであり、その結果、壁内は適正な湿度環境を保ち、内部結露を発生しにくくし、劣化防止となる。
【０００４】
【特許文献１】特許第３０５９１１４号公報
【発明の開示】
【発明が解決しようとする課題】
【０００５】
しかしながら、特許文献１の技術のように建物プラン上、常に床下空間が存在していればよいが、浴室や土間のある玄関やガレージなどは、性能認定上や環境工学的知見から床下通気ができずにいた。すなわち、浴室や土間のある玄関やガレージなどについては湿気を排除して結露が生じないようにしなければならないところ、それができず、結局、壁体内換気装置が設置できないという問題があった。
【０００６】
そこでこの発明は、前記従来のものが有する問題点を解決し、浴室や土間のある玄関やガレージなど土間周りにも設置できて、外気の湿度を適正に調整して壁内に導入することができる壁体内換気装置及びそれに用いる壁パネルを提供することを目的とする。
【課題を解決するための手段】
【０００７】
前記目的を達成するため、請求項１に記載の発明は、基礎近傍の外気を建物の外壁の壁体内通気路に入れて該外気が上昇するにしたがって換気する壁体内換気装置において、前記壁体内通気路の外気取り入れ口近くに、外気と接触し、外気の湿度が高いときは湿分を吸い取り、湿度が低いときは湿分を吐き出して外気の相対湿度を標準値より抑える機能を有する吸放湿材を配設したことを特徴とする。ここで「外気の相対湿度を標準値より抑える機能」とは、前記吸放湿材を配設しない場合の相対湿度を標準値とした場合に、該標準値の相対湿度で高い部分は低く、逆に低い部分は高くなるようにする機能をいい、これにて相対湿度の変動範囲を所定に平準化しようとするものである。
【０００８】
請求項２に記載の発明は、請求項１に記載の壁体内換気装置において、縦材と横材が組み付けられて形成された方形枠体と、該枠体の一方の面側に取り付けられた面材とを有する壁パネルを具え、この壁パネルの前記面材が室外側となるように配置されるとともに、該面材と室内側に配置される断熱材との間に壁体内通気路を形成する換気スペーサが配設され、この換気スペーサの壁体内通気路以外の部分に吸放湿材が設けられていることを特徴とする。
【０００９】
請求項３に記載の発明は、請求項２に記載の壁体内換気装置において、換気スペーサの表面に壁体内通気路の高さにわたり凹凸部がそれぞれ複数個設けられ、前記凹部が通気路に、前記凸部が非通気路に形成され、この非通気路に形成された凸部内に粒状の吸放湿材が設けられていることを特徴とする。
【００１０】
請求項４に記載の発明は、請求項１に記載の壁体内換気装置において、縦材と横材が組み付けられて形成された方形枠体と、該枠体の一方の面側に取り付けられた面材とを有する壁パネルを具え、この壁パネルの前記面材が室外側となるように配置されるとともに、該面材と室内側に配置される断熱材との間に壁体内通気路を形成する換気スペーサが配設され、この換気スペーサの壁体内通気路と室内側において対面する部分に吸放湿材が設けられていることを特徴とする。
【００１１】
請求項５に記載の発明は、請求項４に記載の壁体内換気装置において、吸放湿材が、換気スペーサと断熱材との間に配置された板状の吸放湿材であることを特徴とする。請求項６に記載の発明は、請求項２ないし５のいずれかに記載の壁体内換気装置において、吸放湿材が、壁パネルにおける基礎の上に設置された土台近くの下方部分に設けられていることを特徴とする。請求項７に記載の発明は、請求項２ないし６のいずれかに記載の壁体内換気装置において、基礎近傍の外気を建物の外壁の壁体内通気路にのみ入れて床下に入るのを阻止するパッキンが、基礎と土台間に設けられていることを特徴とする。
【００１２】
請求項８に記載の発明は、請求項２ないし７のいずれかに記載の壁体内換気装置に用いられる壁パネルであって、縦材と横材が組み付けられて形成された方形枠体と、該枠体の一方の面側に取り付けられた面材とを有し、前記面材の室内側を向いた面に壁体内通気路を形成する換気スペーサが配設され、この換気スペーサの表面に該通気路の高さにわたり凹凸部がそれぞれ複数個設けられ、前記凹部が通気路に、前記凸部が非通気路に形成され、前記枠体の高さ方向の少なくとも下方部分における非通気路に形成された凸部内に粒状の吸放湿材が設けられていることを特徴とする。
【００１３】
請求項９に記載の発明は、請求項２ないし７のいずれかに記載の壁体内換気装置に用いられる壁パネルであって、縦材と横材が組み付けられて形成された方形枠体と、該枠体の一方の面側に取り付けられた面材とを有し、前記面材の室内側を向いた面に壁体内通気路を形成する換気スペーサが配設され、この換気スペーサの表面に該通気路の高さにわたり凹凸部がそれぞれ複数個設けられ、前記凹部が通気路に、前記凸部が非通気路に形成され、前記枠体の高さ方向の少なくとも下方部分における換気スペーサの壁体内通気路と室内側において対面する部分に板状の吸放湿材が設けられていることを特徴とする。
【発明の効果】
【００１４】
この発明は前記のように、請求項１に記載の発明は、基礎近傍の外気を建物の外壁の壁体内通気路に入れて該外気が上昇するにしたがって換気する壁体内換気装置において、前記壁体内通気路の外気取り入れ口近くに、外気と接触し、外気の湿度が高いときは湿分を吸い取り、湿度が低いときは湿分を吐き出して外気の相対湿度を標準値より抑える機能を有する吸放湿材を配設したので、前記吸放湿材によって外壁の壁体内通気路に取り入れる外気の相対湿度を標準値より抑えることが可能となる。したがって、従来不可能であった浴室や土間のある玄関やガレージなど土間周りについても設置でき、これら土間周りの湿気を排除して結露が生じないようにすることができる。
【発明を実施するための最良の形態】
【００１５】
この発明の一実施の形態を、添付図面を参照して説明する。
【００１６】
図１は、一実施の形態が適用されている建物１階の一部の概略平面図、図２は、図１の矢示Ａに沿う立面図、図３は、図２の線Ｂ−Ｂに沿う基礎近くの拡大縦断面図、図４は、図２のＣ部の拡大図、図５は図４の線Ｄ−Ｄに沿う断面図である。
【００１７】
図１に示すように建物の１階の隅部には浴室が設けられ、かつそれと隣接して洗面室とトイレが設けられている。浴室を形成する平面視Ｌ型の外壁（斜線で表している）は、基礎の上に設置されている。図２は丁度その基礎から１階天井に至る胴差までの外壁構造が室内側から矢印Ａ方向に見た状態を示している。すなわち、図３にも示すように基礎１上には外気誘導用パッキン２を介在して土台３が設置されている。パッキン２は、全体が樹脂製で、図６にその平面図を示すように平板状の本体２ａを具え、該本体の室外側の上面に土台３に設けた通気路５と連通する通気路２ｂが奥側の面が閉鎖、手前側の面と上面が開放した形でパッキン２の長さ方向に所定間隔で複数個形成され、土台３の通気路５へは通気可能であるが、それ以外へは通気ができない構造となっている。つまり、パッキン２は、軽量化等のために図示のように溝や凹所などの空間が多く形成されているものの、通気路としては通気路２ｂのみが形成され、他に通気路は形成されていない構造となっている。土台３の通気路５はパッキン２の通気路２ｂと対応して土台３の長さ方向に所定間隔で複数個形成されている。また、通気路５の各上端が連通するように土台３の上端縁に沿って横向きの連通路５ａが形成されている。
【００１８】
土台３上には壁パネル６が胴差７までの空間を塞ぐように設置されている。壁パネル６は、木材からなり、縦材６ａと横材６ｂが組み付けられて形成された方形枠体６ｃと、該枠体の一方の面側に張付けられた面材６ｄとを有し、面材６ｄが室外側となるように配置されている。壁パネル６は方形枠体６ｃの縦材６ａと横材６ｂと面材６ｄによって仕切られ区画された空間領域６ｅを縦横方向にそれぞれ複数有し、各空間領域は縦材６ａと横材６ｂに設けられた通孔６ｆによってそれぞれ相互に連通されている。すなわち、壁パネル６の最下方の横材６ｂに設けられた通孔６ｆは、土台３の連通路５ａと連通している。そのため、土台３の通気路５からの外気は、連通路５ａを経て壁パネル６の最下方の空間領域６ｅに入る。そして最下方の空間領域６ｅからさらにその上に隣接する空間領域又は横に隣接する空間領域に前記のように縦材６ａと横材６ｂに設けられた通孔６ｆから当該空間領域に入り、このようにして最上方の空間領域６ｅに至るまで順次、外気が通過できる構造となっている。
【００１９】
前記のような複数の空間領域６ｅにおける壁パネル６の面材６ｄに対して室内側には断熱材８が収容され、該断熱材と面材６ｄとの間には壁体内通気路を形成する換気スペーサ９が配設されている。換気スペーサ９は、図４，５に詳示するように前記各空間領域の縦横の寸法に合わせた大きさに形成されたポリプロピレンからなる樹脂シート９ａと、この樹脂シートの表面の縦横方向に所定の間隔をおいて一体に形成された多数の正面視丸型の凹凸部とを有し、凹部が壁体内通気路としての通気路９ｂに、凸部が非通気路９ｃに形成されている。非通気路９ｃに形成された凸部は、シート側が開口した内部中空状になっている。通気路９ｂはそれぞれ縦横に連通して土台３の通気路５からの外気が、前記連通路５ａ及び通孔６ｆを経て最上方の横材６ｂに設けられた通孔６ｆから、胴差７に設けた通気路１０に入るようになっている。すなわち、胴差７の通気路１０は、土台３の通気路５と同じように、胴差７の長さ方向に所定間隔で複数個形成され、通気路１０の各上端及び各下端が連通するように胴差７の上端縁及び下端縁に沿って横向きの連通路１０ａ，１０ｂが形成されている。そして胴差７の上に構築される図示しない２階の外壁も前記した１階の外壁と同じような構造になっており、外気が同じような通気路を経て２階の天井裏（小屋裏）にまで入り、抜けていけるようになっている。図４で、９ｄは樹脂シート９ａに設けた抜き穴である。
【００２０】
前記のような壁パネル６の前記壁体内通気路の外気取り入れ口近く、すなわち図４に示すように最下方の縦材６ａと横材６ｂで区画された空間領域６ｅで、壁パネル６の全高比では１／６強の高さ領域における非通気路９ｃに形成された凸部内には粒状の吸放湿材１２が、通気路９ｂを通る外気と接触可能に収容されている。吸放湿材１２は、ポリアクリレート系繊維がパルプ繊維シート及びポリオレフィン繊維シートで包み込まれた高混合層材からなっている。詳しくは、目付けが５００ｇ／ｍ2、厚みが２．０ｍｍ、標準吸放湿性が４００ｇ／ｍ2（３０℃、９０％ＲＨ）となっており、吸放湿材１２が通気路９ｂを通る外気と通気性のある前記シートを介して接触することにより、通気路９ｂの外気取り入れ口近くを通る外気の湿度が高いときは湿分を吸い取り、湿度が低いときは湿分を吐き出して外気の相対湿度を標準値（吸放湿材１２が設けられていない場合の相対湿度）より抑える機能を有している。なお、吸放湿材１２が設けられる範囲であるが、図２で石膏ボード等で隠れている壁パネル６の左半部を含む図１のＬ型の外壁内における対応位置の換気スペーサ９の凸部内である。図２，３において、１３は透湿防水シート、１４は外装材、１５は石膏ボード、１６は水切り鉄板である。
【００２１】
前記のような構成からなる壁体内換気装置においては、外気取り入れ口近くの外気は、次のように壁体内通気路を通気する。すなわち外気は、図３に矢印で示すようにパッキン２に誘導されて通気路２ｂを経て土台３の通気路５に入り、さらに土台３の通気路５から連通路５ａ、壁パネル６の最下方の横材６ｂに設けた通孔６ｆを経て最下方の空間領域６ｅに入り、以後も上あるいは横にある空間領域６ｅを形成する縦材６ａと横材６ｂに設けられた通孔６ｆを通過して該空間領域に入って、壁体内全体を換気することになる。そして外気は、壁パネル６の最下方の空間領域６ｅにおける通気路２ｂを通過する際に、非通気路９ｃに形成された凸部内に収容された吸放湿材１２と接触し、湿度が高いとき（湿気が多いとき）は吸放湿材１２で湿分が吸い取られ、逆に湿度が低いとき（湿気が少ないとき）は吸放湿材１２から湿気が吐き出される。そのため、吸放湿材１２のある空間領域を通過した外気は、吸放湿材１２による湿度の調整によりその相対湿度の変動が標準値の相対湿度のそれよりも小さい所定の範囲に平準化されて、胴差７の通気路１０に入ることになる。したがって、従来のように壁体内に結露が生じたりすることはなくなる。
【００２２】
図７Ａ及び図７Ｂは上記の作用を実験的に証明するものである。図７Ａは、梅雨時期の２００８年７月１３日から７月２３日にかけて測定した外気の「温度」と「相対湿度」を示したものであり、同図によれば期間中、外気温が２０℃〜３０℃で推移し、相対湿度は低いところで５０％前後、高いところで９０％前後となっていることがわかる。つまり、３０℃近くなる気温の高い日中では相対湿度は５０％〜６０％となり、２０℃近くなる気温の低い夜間では相対湿度は８０％〜９０％前後となる、両者の相関関係がわかる。
【００２３】
一方、図７Ｂは、図７Ａと同期間において、図１の矢示Ａで示す外壁が北壁の場合にその壁体内通気路内に吸放湿材１２が「ある場合」と「ない場合」の相対湿度を比較して示したものである。壁体内通気路内に吸放湿材１２が「ない場合」の相対湿度とは前記した標準値のことであり、吸放湿材１２が「ある場合」の相対湿度をこれとの比較で表している。これによると、吸放湿材１２が「ある場合」には「ない場合」に比し、その相対湿度が高い部分では低く、逆に低い部分では高くなっていること、特に相対湿度のトップ又はボトムのところでその相違が顕著であることがわかる。
【００２４】
前記のように土台３から壁パネル６内に取り込んだ外気の相対湿度の変動範囲を、吸放湿材１２により所定に平準化し、適正に調整して壁内に導入することができるので、外気の余分な湿気がパネル内に通気するのを防ぐことができる。換言すると、取り込んだ外気を、従来の床下の空間に一旦入れて除湿したものと同じような湿度状態にできる。そのため、従来の結露による弊害が解消されるとともに、従来不可能であった浴室や浴室や土間のある玄関やガレージなど土間周りにも設置できて、木質系建物における通気経路の整備や拡張、あるいは再構築に資することができて、住まいの快適性等の向上を図ることができる。また、この実施の形態の場合には吸放湿材１２を樹脂シート９ａにより非通気路９ｃに形成された凸部内に収容し、その収容部を凸部形状に保持することが可能であるため、断熱材８を隣接配置しても断熱材８によって通気路９ｂが塞がれてしまうということも回避でき、通気効率を常時高く維持することができる。しかも、吸放湿材１２を収容するのに既存の換気スペーサ９を利用することができるので、壁パネル６にそのための格別な加工を施す必要もない。さらに、この実施の形態の場合には壁パネル６を利用して形成した壁体内通気路を通過する外気の相対湿度を適正に調整できるので、壁パネル６の面板６ｄにおける木材含水率を低減することができ、建物の劣化が進むのを防止できる効果もある。
【００２５】
図８〜１０は、別の実施の形態を示すものである。図８は、図２と対応する立面図、図９は、図８のＥ部の拡大図、図１０は図９の線Ｆ−Ｆに沿う断面図である。この別の実施の形態において、前記実施の形態と同じ部材には同一符号を付してその説明を簡略化し、ここでは主として異なる構成について以下に説明する。
【００２６】
すなわち、この実施の形態では各空間領域に設けられる換気スペーサ９はそのままに、つまり非通気路９ｃに形成された凸部内に粒状の吸放湿材１２を収容することなく設けられ、代わりに壁パネル６の最下方の空間領域６ｅを室外側から換気スペーサ９を覆うように板状の吸放湿材１７が断熱材８と換気スペーサ９の間に、粒状の吸放湿材１２と同様な機能を果たすべく配置されている。
【００２７】
板状の吸放湿材１７は、ポリアクリレート系繊維からなっている。詳しくは、目付けが５４５ｇ／ｍ2、厚みが１．５ｍｍ、標準吸放湿性が４００ｇ／ｍ2（３０℃、９０％ＲＨ）となっている。
【００２８】
前記のような板状の吸放湿材１７を用いた場合も、外気は、壁パネル６の最下方の空間領域６ｅにおける通気路９ｂを通過する際に、吸放湿材１７と接触し、外気の湿度が高いとき（湿気が多いとき）は吸放湿材１７で湿分が吸い取られ、逆に湿度が低いとき（湿気が少ないとき）は吸放湿材１７から湿分が吐き出される。そのため、吸放湿材１７のある空間領域６ｅを通過した外気は吸放湿材１７による湿度の調整により所定の範囲に平準化されて、胴差７の通気路１０に入ることとなり、前記実施の形態と同じ作用をもたらす。
【００２９】
次に特許請求の範囲の請求項２以下に記載した発明の特有な効果について説明する。請求項２に記載の発明によれば、壁パネルを具えた壁体内通気路内においても換気スペーサの壁体内通気路以外の部分に設けた吸放湿材により外気の相対湿度の適正な調整ができる。請求項３に記載の発明によれば、換気スペーサの非通気路である凸部内に収容した粒状の吸放湿材により外気の相対湿度の適正な調整ができ、しかも粒状の吸放湿材を収容するのに既存の換気スペーサを利用することができて、格別な部材を設ける必要がない。請求項４に記載の発明によれば、壁パネルを具えた壁体内通気路内においても換気スペーサの壁体内通気路と室内側において対面する部分に設けた吸放湿材により外気の相対湿度の適正な調整ができる。
【００３０】
請求項５に記載の発明によれば、換気スペーサと断熱材との間に配置された板状の吸放湿材により請求項４に記載の発明と同等の効果が期待できる。請求項６に記載の発明によれば、土台近くの下方部分において、外気の湿度の吸放湿を行って、適正な相対湿度の調整ができる。請求項７に記載の発明によれば、パッキンによって効率よく外気を壁体内通気路へ誘導することが可能となる。請求項８に記載の発明によれば、請求項２ないし７のいずれかに記載の壁体内換気装置に用いられて、換気スペーサの非通気路に形成された凸部内に設けた粒状の吸放湿材により外気の相対湿度の適正な調整ができる壁パネルを提供することができる。請求項９に記載の発明によれば、板状の吸放湿材により請求項８に記載の発明と同様に外気の相対湿度の適正な調整ができる壁パネルを提供することができる。
【００３１】
本実施の形態は、あくまで好ましい一例を示したにすぎず、構成各部材の細部の設計的な事項は、その実施に際して種々に変更、修正することができるものである。すなわち、吸放湿材１２，１７として粒状又は板状のものを示したが、これ以外の態様のものとしてもよく、また具体的な材質についても任意である。また、換気スペーサ９の構造も他の構造としてもよく、図示のものに限定されるものではない。また、吸放湿材１２，１７を壁体内通気路の外気取り入れ口近くに設けたが、さらに外気取り入れ口近くから上方の中程まであるいは通気路の全体にわたり設けてもよいことは勿論である。
【図面の簡単な説明】
【００３２】
【図１】この発明の一実施の形態が適用されている建物１階の一部の概略平面図である。
【図２】図１の矢示Ａに沿う立面図である。
【図３】図２の線Ｂ−Ｂに沿う基礎近くの拡大縦断面図である。
【図４】図２のＣ部の拡大図である。
【図５】図４の線Ｄ−Ｄに沿う断面図である。
【図６】パッキンの平面図である。
【図７Ａ】作用を実験的に証明するもので、梅雨時期の２００８年７月１３日から７月２３日にかけて測定した外気の「温度」と「相対湿度」を示す表である。
【図７Ｂ】作用を実験的に証明するもので、図７Ａと同期間において、図１の矢示Ａで示す外壁が北壁の場合にその壁体内通気路内に吸放湿材が「ある場合」と「ない場合」の相対湿度を比較して示す表である。
【図８】別の実施の形態を示す、図２と対応する立面図である。
【図９】図８のＥ部の拡大図である。
【図１０】図９の線Ｆ−Ｆに沿う断面図である
【符号の説明】
【００３３】
１  基礎
２  外気誘導用パッキン
３  土台
５  通気路
６  壁パネル
６ａ  縦材
６ｂ  横材
６ｃ  枠体
６ｄ  面材
６ｅ  空間領域
６ｆ  通孔
７  胴差
８  断熱材
９  換気スペーサ
９ａ  樹脂シート
９ｂ  通気路
９ｃ  非通気路
１０  通気路
１２  粒状の吸放湿材
１７  板状の吸放湿材
【図１】
2010144335.tif 000003
【図２】
2010144335.tif 000004
【図３】
2010144335.tif 000005
【図４】
2010144335.tif 000006
【図５】
2010144335.tif 000007
【図６】
2010144335.tif 000008
【図７Ａ】
2010144335.tif 000009
【図７Ｂ】
2010144335.tif 000010
【図８】
2010144335.tif 000011
【図９】
2010144335.tif 000012
【図１０】
2010144335.tif 000013